(57)【要約】【課題】マガジン内の明視性を良くして、消耗品の装填などの作業をやりやすくした可搬型動力駆動工具を提供する。【解決手段】消耗品を装填するためのマガジン２３と、前記マガジン２３の内部を照らす光源と、を備えるようにした。光源の光を出射する窓部として、第１の窓部３０と、第２の窓部３１と、を備え、第１の窓部３０は、光源の光によって工具の先端方向を照らすためにマガジン２３の外部に配置されており、第２の窓部３１は、光源の光によってマガジン２３の内部を照らすためにマガジン２３の内部に配置されるようにしてもよい。【選択図】図３
2018202537.tif 000002
【特許請求の範囲】
【請求項１】
消耗品を装填するためのマガジンと、
前記マガジンの内部を照らす光源と、
を備えることを特徴とする、可搬型動力駆動工具。
【請求項２】
前記光源の光を出射する窓部として、第１の窓部と、第２の窓部と、を備え、
前記第１の窓部は、前記光源の光によって工具の先端方向を照らすために前記マガジンの外部に配置されており、
前記第２の窓部は、前記光源の光によって前記マガジンの内部を照らすために前記マガジンの内部に配置されていることを特徴とする、請求項１記載の可搬型動力駆動工具。
【請求項３】
前記マガジンは、前記マガジンの内部を開閉する開閉部を備え、
前記光源は、前記開閉部が開状態のときには、前記開閉部が閉状態のときよりも低光度で発光することを特徴とする、請求項２記載の可搬型動力駆動工具。
【請求項４】
前記マガジンは、前記マガジンの内部を開閉する開閉部を備え、
前記光源は、前記開閉部の開閉状態によって向きが変化するように構成されており、前記開閉部が閉状態のときには、前記第１の窓部に向かって発光し、前記開閉部が開状態のときには、前記第２の窓部に向かって発光することを特徴とする、請求項２記載の可搬型動力駆動工具。
【請求項５】
前記光源とは別に、工具の先端方向を照らす照射用光源を備えることを特徴とする、請求項１記載の可搬型動力駆動工具。
【請求項６】
前記マガジンは、前記マガジンの内部を開閉する開閉部を備え、
前記開閉部が閉状態のときには、前記照射用光源が点灯可能となり、
前記開閉部が開状態のときには、前記照射用光源が点灯不可となることを特徴とする、請求項５記載の可搬型動力駆動工具。
【請求項７】
前記マガジンは、前記マガジンの内部を開閉する開閉部を備え、
前記開閉部が閉状態のときには、前記光源が点灯不可となり、
前記開閉部が開状態のときには、前記光源が点灯可能となることを特徴とする、請求項５または６記載の可搬型動力駆動工具。
【発明の詳細な説明】
【技術分野】
【０００１】
この発明は、マガジンに装填した消耗品を使用する可搬型動力駆動工具に関する。
【背景技術】
【０００２】
マガジンに装填した消耗品を使用する可搬型動力駆動工具として、例えば特許文献１に記載されているようなタッカーが知られている。こうした工具は、消耗品（ステープル針）の残量を考慮して、随時マガジンに新しい消耗品を装填して使用する。
【先行技術文献】
【特許文献】
【０００３】
【特許文献１】特開２００２−３４６９５１号公報
【発明の概要】
【発明が解決しようとする課題】
【０００４】
しかしながら、マガジン内はマガジンを覆う壁によって影になるため、暗くて作業がやりづらいという問題があった。
【０００５】
例えば、特許文献１に記載されているようなタッカーの場合、消耗品の残りが少なくなっている状態でマガジンを開放すると、残り少ない消耗品がマガジン内で倒れてしまうことがあった。マガジン内の明視性が悪いと、消耗品が倒れていることに気付かずに新しい消耗品を装填してしまい、空打ちや針詰まりの原因となることがあった。また、針詰まりが発生したときにも、マガジン内の明視性が悪いと除針作業がやりにくいという問題があった。
【０００６】
そこで、本発明は、マガジン内の明視性を良くして、消耗品の装填などの作業をやりやすくした可搬型動力駆動工具を提供することを課題とする。
【課題を解決するための手段】
【０００７】
本発明は、上記した課題を解決するためになされたものであり、消耗品を装填するためのマガジンと、前記マガジンの内部を照らす光源と、を備えることを特徴とする。
【発明の効果】
【０００８】
本発明は上記の通りであり、マガジンの内部を照らす光源を備えるため、マガジン内の明視性を良くすることができる。よって、仮に消耗品がマガジン内で倒れてしまったとしても、倒れた消耗品に気付きやすく、倒れた消耗品を立てる作業もやりやすい。また、針詰まりが発生したとしても、除針作業を容易に行うことができる。
【図面の簡単な説明】
【０００９】
【図１】電動工具の斜視図である。
【図２】マガジンを開放した電動工具の斜視図である。
【図３】マガジンを開放した電動工具の一部拡大斜視図であって、マガジン内を示す図である。
【図４】変形例１に係る電動工具のマガジンを開放した電動工具の一部拡大斜視図であって、マガジン内を示す図である。
【図５】変形例２に係る電動工具の斜視図である。
【図６】変形例２に係る電動工具の側面図である。
【発明を実施するための形態】
【００１０】
本発明の実施形態について、図を参照しながら説明する。なお、以下の説明においては可搬型動力駆動工具として、射出口２０ａからファスナー（本実施形態においてはコ字形のステープル針）を射出する電動工具１０（打ち込み工具）を例に挙げて説明する。しかしながら、この電動工具１０は一例に過ぎず、本発明は、圧縮空気で駆動する打ち込み工具や、可燃性のガスを燃焼させて駆動する打ち込み工具などであっても同様に適用することができる。
【００１１】
本実施形態に係る電動工具１０は、図１に示すように、ハウジング１１で覆われている。この電動工具１０は、出力部２０と、グリップ２１と、マガジン２３と、モータ収容部２４と、バッテリ装着部２５と、を備える。
【００１２】
出力部２０は、ファスナーを打ち出すためのドライバ（図示せず）を収容した部位である。ドライバは、出力部２０の長手方向に摺動可能となっている。この出力部２０の先端には、射出口２０ａが開口しており、この射出口２０ａの手前に打ち出し前のファスナーが待機している。後述するトリガ２２が操作されてドライバが射出口２０ａの方向へ摺動すると、射出口２０ａの手前に待機しているファスナーがドライバによって射出口２０ａから打ち出され、被打ち込み材に打ち込まれるようになっている。
【００１３】
グリップ２１は、作業者が電動工具１０を使用するときに把持する棒状の部位である。このグリップ２１は、出力部２０に対して略直交するように接続されている。詳しくは、このグリップ２１は、出力部２０をファスナーの打ち出し方向に見たときに、出力部２０の後方寄りに接続されている。このグリップ２１には、電動工具１０を作動させるためのトリガ２２が設けられている。このトリガ２２は、作業者がグリップ２１を握ったときに人差し指がかかる位置に配設されている。作業者がトリガ２２を引き操作すると、グリップ２１に内蔵されたマイクロスイッチ（図示せず）がオンになる。マイクロスイッチがオンになると、電気信号が制御基板に送信され、制御基板によってモータが駆動制御されて電動工具１０が作動し、ファスナーが打ち込まれる。
【００１４】
マガジン２３は、消耗品としての連結ファスナー４０を装填するための部位である。本実施形態においては、図２に示すように、略コ字形に形成されたファスナー（ステープル針）を棒状に連結した連結ファスナー４０をマガジン２３に装填可能となっている。このマガジン２３は、出力部２０に対して略直交するように接続されており、グリップ２１に対して略平行に配置されている。詳しくは、このマガジン２３は、出力部２０をファスナーの打ち出し方向に見たときに、出力部２０の前方寄りに接続されている。マガジン２３の先端は、内部において出力部２０と連通しており、出力部２０の先端（射出口２０ａ付近）にファスナーを供給可能となっている。
【００１５】
モータ収容部２４は、マガジン２３に隣接して設けられており、モータを収容している。モータは、電動工具１０を作動させるための駆動源である。本実施形態においては、モータが回転することで、ドライバが打ち込み動作を行うとともに、ドライバが待機位置への戻る動作が行われるようになっている。
【００１６】
バッテリ装着部２５は、バッテリパック２６を着脱可能とするための部位である。このバッテリ装着部２５は、グリップ２１の下端（出力部２０とは反対側の端部）に設けられている。言い換えると、グリップ２１の一方の端部には出力部２０が接続されており、他方の端部にはバッテリ装着部２５が接続されている。
【００１７】
なお、本実施形態においては、バッテリ装着部２５の下面にバッテリパック２６をスライドさせて着脱できるようになっている。特に図示しないが、バッテリパック２６の上面にはラッチが出没可能に設けられており、このラッチがバッテリ装着部２５の下面に係合することでバッテリパック２６が電動工具１０に取り付けられる。バッテリパック２６を電動工具１０に取り付けると、バッテリパック２６と電動工具１０とが電気的に接続された状態となり、バッテリパック２６に蓄えられた電力を電動工具１０で使用できる状態となる。
【００１８】
このバッテリ装着部２５には、電動工具１０の動作を制御するための制御基板が内蔵されている。
【００１９】
ところで、本実施形態に係るマガジン２３は、図２に示すように、角筒状に形成されている。このマガジン２３は、前面（ファスナー打ち込み時に被打ち込み材に臨む面）を覆う開閉部３２を備えている。開閉部３２は、マガジン２３に対してスライド可能となっており、スライドさせることでマガジン２３の内部を開閉できるようになっている。
【００２０】
開閉部３２をスライドさせてマガジン２３の内部を開放すると、図３に示すように、マガジン２３の内面が露出する。このマガジン２３の内面には、光を射出するための第２の窓部３１が設けられている。本実施形態においては、開閉部３２に対向する奥側の面に第２の窓部３１が設けられている。この第２の窓部３１は、透明または半透明のカバーで覆われており、背後から照射された光を透過または拡散できるようになっている。
【００２１】
この第２の窓部３１の隣には、図３に示すように、第１の窓部３０が設けられている。第１の窓部３０は、第２の窓部３１と同様に、ファスナー打ち込み時に被打ち込み材に臨む方向を向いて配設されている。本実施形態においては、第１の窓部３０と第２の窓部３１とがマガジン２３の壁を挟んで同一平面上に配設されている。
【００２２】
なお、特に図示しないが、第１の窓部３０及び第２の窓部３１の裏側にはＬＥＤなどの光源が配設されている。この光源の光は、第１の窓部３０と第２の窓部３１とを通過して、マガジン２３の内部及び外部へと照射される。言い換えると、第１の窓部３０及び第２の窓部３１は、いずれも同一の光源の光を出射するための窓部である。ただし、第１の窓部３０は、光源の光によって工具の先端方向を照らすためのものであり、マガジン２３の外部に配置されている。一方、第２の窓部３１は、光源の光によってマガジン２３の内部を照らすためのものであり、マガジン２３の内部に配置されている。
【００２３】
上記した光源は、所定のスイッチがオンになった場合など、所定の契機が達成された場合に点灯する。光源が点灯すると、光源の光は第１の窓部３０を通過して外部へと照射され、消耗品の打ち込み位置付近（射出口２０ａの延長線上付近）を照らす。これにより、打ち込み位置が暗い場合でも作業がしやすくなる。また、光源が点灯すると、光源の光は第２の窓部３１を通過してマガジン２３内へと照射される。これにより、マガジン２３内が照らされ、マガジン２３内が暗い場合でも作業がしやすくなる。
【００２４】
なお、特に図示しないが、光源を点灯させるために、作業者が操作可能な専用のスイッチを設けてもよい。
【００２５】
また、光源を点灯させるためのスイッチは、他の動作に関連付けてオンになるようにしてもよい。例えば、マガジン２３が開放されたとき（開閉部３２がスライドして開状態となったとき）にスイッチがオンになり、光源が点灯するようにしてもよい。
【００２６】
また、連結ファスナー４０の装填作業を行うときには、光源の光が強すぎると眩しいため、光源の光度を低下させるようにしてもよい。例えば、光源は、開閉部３２が開状態のときには、開閉部３２が閉状態のときよりも低光度で発光するようにしてもよい。このようにすれば、開閉部３２が開状態のとき（連結ファスナー４０の装填作業中）には光が弱くなるので、マガジン２３内を見ても眩しくない。また、開閉部３２が閉状態のときには光が強くなるので、打ち込み位置を十分に明るく照らすことができる。
【００２７】
また、光源を、開閉部３２の開閉状態によって向きが変化するように構成し、開閉部３２が閉状態のときには、第１の窓部３０に向かって発光し、開閉部３２が開状態のときには、第２の窓部３１に向かって発光するようにしてもよい。例えば、開閉部３２の開閉に連動して、機械的に光源の向きが変化するようにしてもよい。このようにすれば、開閉部３２が開状態のとき（連結ファスナー４０の装填作業中）にはマガジン２３内を照射して明るくすることができる。また、開閉部３２が閉状態のときには、打ち込み位置を照射することができる。また、ＬＥＤなどの光源の光をマガジン２３内に導入するための導光部材を設け、この導光部材の向きが開閉部３２の開閉状態によって変化するように構成してもよい。
【００２８】
以上説明したように、本実施形態によれば、マガジン２３の内部を照らす光源を備えるため、マガジン２３内の明視性を良くすることができる。よって、仮に消耗品がマガジン２３内で倒れてしまったとしても、倒れた消耗品に気付きやすく、倒れた消耗品を立てる作業もやりやすい。また、針詰まりが発生したとしても、除針作業を容易に行うことができる。
【００２９】
また、光源の光を出射する窓部として、第１の窓部３０と、第２の窓部３１と、を備え、第１の窓部３０は、光源の光によって工具の先端方向を照らすためにマガジン２３の外部に配置されており、第２の窓部３１は、光源の光によってマガジン２３の内部を照らすためにマガジン２３の内部に配置されている。このような構成によれば、１つの光源を異なる２つの目的に使用することができる。よって、部品点数を減らしたシンプルな構造で、マガジン２３内の明視性を良くすることができる。
【００３０】
ところで、上記した実施形態においては、１つの光源によってマガジン２３の内部と外部とを両方照らすようにしたが、これに限らず、光源を２つ以上設けてもよい。例えば、図４に示すように、マガジン２３の内部にＬＥＤなどのマガジン用光源３３を配置してもよい。そして、このマガジン用光源３３とは別に、工具の先端方向を照らす照射用光源を設けてもよい。照射用光源は、第１の窓部３０の裏側に配置されている。このため、照射用光源が点灯すると、照射用光源の光が第１の窓部３０を介して工具の先端方向を照射するようになっている。このようにした場合でも、マガジン２３の内部を照らすマガジン用光源３３によって、マガジン２３内の明視性を良くすることができる。そして、マガジン用光源３３と照射用の光源とを個別に点灯制御できるので、装填作業時に照射用の光源を点灯させる必要がなく、照射用の光源が眩しいということがない。なお、図４に示す例では第２の窓部３１を設けているが、マガジン用光源３３を設けた場合は第２の窓部３１を設けなくてもよい。
【００３１】
なお、上記したマガジン用光源３３は、スライド可能な開閉部３２に取り付けてもよいし、マガジン２３の内壁部に取り付けてもよい。
【００３２】
また、上記したマガジン用光源３３と照射用光源とは、同じ特定のスイッチを契機にして点灯制御されるようにしてもよい。すなわち、特定のスイッチがオンになったときに、マガジン用光源３３および照射用光源がどちらも点灯可能となるようにしてもよい。ただし、スイッチがオンになったときに必ずしもマガジン用光源３３や照射用光源が点灯する必要はなく、特定の条件を満たした場合にのみ点灯するようにしてもよい。
【００３３】
例えば、上記した照射用光源は、開閉部３２が開状態のときに点灯不可とし、開閉部３２が閉状態のときに点灯可能としてもよい。すなわち、スイッチがオンになったときに開閉部３２が開状態であれば照射用光源は点灯せず、開閉部３２が閉状態であれば照射用光源が点灯するようにしてもよい。このように構成すれば、開閉部３２が開状態のとき（連結ファスナー４０の装填作業中）には照射用光源が消灯するので、装填作業中の作業者が照射用光源を眩しく感じることがない。また、開閉部３２が閉状態のときには、照射用光源によって打ち込み位置を照射することができる。また、開閉部３２がしっかりと閉じていないときには照射用の光源が点灯しないので、開閉部３２が閉じていないことに作業者が気づきやすく、開閉部３２を完全に閉じないまま打ち込みを行うようなミスを防止することができる。
【００３４】
また、上記したマガジン用光源３３は、開閉部３２が開状態のときに点灯可能とし、開閉部３２が閉状態のときに点灯不可としてもよい。このように構成すれば、開閉部３２が開状態のとき（連結ファスナー４０の装填作業中）にのみ、マガジン２３内を照射して明るくすることができる。
【００３５】
なお、上記した実施形態においては、マガジン用光源３３や照射用光源を点灯・消灯させる制御としているが、これに限らず、マガジン用光源３３からの光または照射用光源からの光を物理的に遮る遮蔽部材を設け、この遮蔽部材を作動させるようにしてもよい。このように構成した場合でも、実質的に光源の点灯・消灯を切り替えることができる。
【００３６】
なお、上記した実施形態においては、まっすぐな棒状のマガジン２３を備えた工具について説明したが、これに限らず、図５に示すように、円筒状のマガジン２３を備えた工具において、マガジン２３の内部を照らす光源を設けてもよい。図５に示す例では、グリップ２１の後端部（出力部２０とは反対側の端部）に照明装置３４を設け、この照明装置３４にＬＥＤなどの光源を実装している。この光源は、円筒状のマガジン２３の内部を開放したときに、マガジン２３の内部を照らすように配置されている。このように構成した場合でも、マガジン２３の内部を照らす光源によって、マガジン２３内の明視性を良くすることができる。
【００３７】
また、このような円筒状のマガジン２３を備えた工具は、コイル状に巻かれた連結釘を、釘の射出口２０ａが形成されたノーズ部３５へと送るようになっている。そして、ノーズ部３５には、開閉可能なドア３７が取り付けられている。このドア３７を開放することで、図６に示すように、マガジン２３からノーズ部３５へと至る釘送り経路３６や、ノーズ部３５の内部を開放できるようになっている。このため、マガジン２３内だけではなく、釘送り経路３６やノーズ部３５の内部を照明装置３４で照らすようにすれば、釘の装填作業や釘詰まりの除去作業などを容易に行うことができる。この場合、照明装置３４の点灯を、マガジン２３の開閉に連動させるだけではなく、ドア３７の開閉に連動させてもよい。
【符号の説明】
【００３８】
１０  電動工具
１１  ハウジング
２０  出力部
２０ａ  射出口
２１  グリップ
２２  トリガ
２３  マガジン
２４  モータ収容部
２５  バッテリ装着部
２６  バッテリパック
３０  第１の窓部
３１  第２の窓部
３２  開閉部
３３  マガジン用光源
３４  照明装置
３５  ノーズ部
３６  釘送り経路
３７  ドア
４０  連結ファスナー（消耗品）
【図１】
2018202537.tif 000003
【図２】
2018202537.tif 000004
【図３】
2018202537.tif 000005
【図４】
2018202537.tif 000006
【図５】
2018202537.tif 000007
【図６】
2018202537.tif 000008